(57)【要約】【課題】オリジナルな局所戦術の研究その他、多様な使い方が可能で使いやすく携帯性に優れる囲碁セットを提供する。【解決手段】本発明に係る囲碁セットは、裏面に粘着剤を有する黒石２ａ、白石２ｂからなる碁石２と、方形の形状で囲碁用の升目を備え、前記碁石２が着脱自在な軽くて薄い板状の碁盤と、方形の形状で相対する２辺１６、１７又は一辺に開閉手段１８を有し、平面視において前記碁盤と略同一の大きさで前記碁盤を収納可能で透明な、前記碁石２の着脱が自在な袋８とを備え、袋８の上から碁石２を打ち楽しむことができる他、詰め碁を楽しむときは、詰め碁の問題を並べた碁盤を袋８内に入れ、袋８の上から碁石２を打つ。詰め碁の問題と自分が打った碁石２とが混ざらないので、何度でも簡単に楽しむことができる。【選択図】図４
2010042202.tif 000002
【特許請求の範囲】
【請求項１】
裏面に粘着剤を有する黒石、白石からなる碁石と、
方形で軽くて薄い板状であり、囲碁用の升目を有し、前記碁石を着脱自在な碁盤と、
方形の形状で相対する２辺又は一辺に開閉手段を有し、前記碁盤を収納可能な平面視において前記碁盤と略同一の大きさを有し透明な、前記碁石を着脱自在な袋と、
を備えることを特徴とする囲碁セット。
【請求項２】
さらに裏面に粘着剤を有し前記袋に着脱可能であり、前記碁盤と同一の色彩を有し、前記碁盤上に置かれた黒石、白石に対し前記袋の上から重ねて置くことにより、碁盤上の黒石、白石を見えなくする消し石を備えることを特徴とする請求項１に記載の囲碁セット。
【請求項３】
さらに補充用の黒石、白石、消し石と該補充用の黒石、白石、消し石を保管する補充用碁石保管シートとを備え、
前記袋は、前記碁石を付着させた碁盤及び補充用の黒石、白石、消し石を保管した補充用碁石保管シートを収納可能な大きさを有することを特徴とする請求項１又は請求項２に記載の囲碁セット。
【請求項４】
前記碁石は、碁石を平面に置いたとき、碁石の周縁部と平面との間に隙間を有することを特徴とする請求項１から請求項３のいずれか１項に記載の囲碁セット。
【請求項５】
前記開閉手段がジッパー又はホック構造であることを特徴とする請求項１から請求項４のいずれか１項に記載の囲碁セット。
【請求項６】
前記碁盤は、升目の他に碁石を保管することができるスペースを有することを特徴とする請求項１から請求項５のいずれか１項に記載の囲碁セット。
【請求項７】
さらに前記袋に収納した前記碁盤と該袋とが、相互にずれないように固定する固定具を備えることを特徴とする請求項１から請求項６のいずれか１項に記載の囲碁セット。
【発明の詳細な説明】
【技術分野】
【０００１】
本発明は囲碁セットに関し、特に携帯性に優れ、自習、勉強用に好適な囲碁セットに関する。
【背景技術】
【０００２】
囲碁セットは、基本的には二人で対戦する遊具であり、本格的な囲碁セットは、木製の碁盤と、蛤、石材等で作られた黒石、白石からなる碁石と、碁石を入れておく碁笥からなっている。碁盤は、木製で一辺が４０から５０センチ程度、厚さが十数センチの分厚い板に４本の足を備え、碁笥も直径及び高さが１０センチ程度の大きさであるので、持ち運びに適しているとは言い難い。
【０００３】
比較的簡単で手軽に使用できる囲碁セットとし、碁盤を薄い木又はプラスチックで作り、蝶番などで中央から二つ折りにできるようにした囲碁セット、碁石、碁盤共に紙又は薄いプラスチック板で製作した囲碁セット、磁力で碁石を吸着させる囲碁セットが販売されている。さらに碁石の底面又は碁盤のいずれか一方に粘着剤を塗布し、粘着力を利用して碁盤上の碁石を安定させる囲碁セットも考案されている（例えば特許文献１参照）。
【０００４】
囲碁セットは、二人で対戦して楽しむ他、詰め碁を解く、布石を研究するなど一人で楽しむといった使い方も多い。詰め碁を楽しむ場合には、教本、新聞、雑誌などに掲載された詰め碁の問題を碁盤上に再現した後、問題を解くために碁盤上に碁石を置く。詰め碁を解く場合には、一般的に試行錯誤を繰り返しながら行なわれるが、問題として最初に置いた碁石と、問題を解くために後で置いた碁石との区別が難しいため、碁盤上の碁石を全て取除いた後に、再度、詰め碁の問題を碁盤上に再現し問題を解くケースも多い。
【０００５】
この手間を省くために、あらかじめ詰め碁の問題が印刷された問題シートを何枚も用意しておき、必要な問題シートを金属板上に置き、その上に透明なシートをかぶせ、その上から磁力で碁石を吸着させて使用する囲碁セットが考案されている（例えば特許文献２、３参照）。
【特許文献１】実開平３−６７６８２号公報
【特許文献２】特開平５−２２８２３５号公報
【特許文献３】特開平６−２５４２０７号公報
【発明の開示】
【発明が解決しようとする課題】
【０００６】
特許文献２、３に記載の囲碁セットは、予め詰め碁の問題が印刷された問題シートが準備されているので、詰め碁を解く際に、詰め碁の問題を碁盤上に再現するための碁石が不要であり、試行錯誤を繰り返しながら行なわれる詰め碁を解くに有効な手段と言える。しかしながら、特許文献２、３に記載の囲碁セットでは、予め詰め碁の問題が印刷された問題シートを準備しておく必要があることから、既に印刷された詰め碁の問題パターンしか楽しむことができず、自分の囲碁の実力に見合った詰め碁を、教本、新聞、雑誌から自由に選ぶことができない。これらは布石の研究を行なう場合にも当てはまる。
【０００７】
本発明の目的は、オリジナルな局所戦術の研究その他、多様な使い方が可能で使いやすく携帯性に優れる囲碁セットを提供することである。
【課題を解決するための手段】
【０００８】
請求項１に記載の本発明は、裏面に粘着剤を有する黒石、白石からなる碁石と、方形で軽くて薄い板状であり、囲碁用の升目を有し、前記碁石を着脱自在な碁盤と、方形の形状で相対する２辺又は一辺に開閉手段を有し、前記碁盤を収納可能な平面視において前記碁盤と略同一の大きさを有し透明な、前記碁石を着脱自在な袋と、を備えることを特徴とする囲碁セットである。
【０００９】
請求項２に記載の本発明は、請求項１に記載の囲碁セットにおいて、さらに裏面に粘着剤を有し前記袋に着脱可能であり、前記碁盤と同一の色彩を有し、前記碁盤上に置かれた黒石、白石に対し前記袋の上から重ねて置くことにより、碁盤上の黒石、白石を見えなくする消し石を備えることを特徴とする。
【００１０】
請求項３に記載の本発明は、請求項１又は請求項２に記載の囲碁セットにおいて、さらに補充用の黒石、白石、消し石と該補充用の黒石、白石、消し石を保管する補充用碁石保管シートとを備え、前記袋は、前記碁石を付着させた碁盤及び補充用の黒石、白石、消し石を保管した補充用碁石保管シートを収納可能な大きさを有することを特徴とする。
【００１１】
請求項４に記載の本発明は、請求項１から請求項３のいずれか１項に記載の囲碁セットにおいて、前記碁石は、碁石を平面に置いたとき、碁石の周縁部と平面との間に隙間を有することを特徴とする。
【００１２】
請求項５に記載の本発明は、請求項１から請求項４のいずれか１項に記載の囲碁セットにおいて、前記開閉手段がジッパー又はホック構造であることを特徴とする。
【００１３】
請求項６に記載の本発明は、請求項１から請求項５のいずれか１項に記載の囲碁セットにおいて、前記碁盤は、升目の他に碁石を保管することができるスペースを有することを特徴とする。
【００１４】
請求項７に記載の本発明は、請求項１から請求項６のいずれか１項に記載の囲碁セットにおいて、さらに前記袋に収納した前記碁盤と該袋とが、相互にずれないように固定する固定具を備えることを特徴とする。
【発明の効果】
【００１５】
請求項１に記載の本発明によれば、本発明に係る囲碁セットは、碁石が裏面に粘着剤を有し、碁盤のみならず碁盤を収納する袋にも碁石を付着させたり、付着させた碁石を取り去ることができるので、多様な楽しみ方ができる。例えば、詰め碁などの問題、例題を碁盤に配石し、配石した碁盤を袋に収納し、該碁盤を透視しながら袋上に配石することで、詰め碁などの問題を碁盤に残したまま、何度でも袋上に碁石を配石することができる。また、一つの問題に対して、いろいろな攻め方、解き方を試したい場合には、途中で袋に対する碁盤の位置をずらし、当初の攻め方、解き方の配石を袋に残したままで、袋の別の場所で、新規に、攻め方、解き方をトライできるので、より多様な思考を楽しむことができる。また本発明に係る囲碁セットは、碁盤が軽くて薄い板状の碁盤であり、碁石も裏面に粘着剤を有する黒石、白石からなるので、囲碁セットとして非常に軽量で携帯性に優れている。さらに袋の大きさが平面視において碁盤とほぼ同一なので、袋に碁盤を収納したとき碁盤が動かず、碁盤のずれを気にすることなく詰め碁などを楽しむことができる。
【００１６】
請求項２に記載の本発明によれば、碁盤上に置かれた黒石、白石に対し袋の上から重ねて置くことにより、碁盤上の黒石、白石を見えなくする消し石を備えているので便利である。例えば、上げ石を行なうために碁盤を袋から出して碁石を取り除く必要がない。
【００１７】
請求項３に記載の本発明によれば、さらに補充用の黒石、白石、消し石を備えるので、使用に伴い粘着剤が劣化した碁石の補充を直ちに行うことができ便利である。さらに前記袋は、碁石を付着させた碁盤及び補充用の黒石、白石、消し石を保管した補充用碁石保管シートを収納可能な大きさを有するので、補充用の碁石なども一体的に保管、携帯可能であり便利である。
【００１８】
請求項４に記載の本発明によれば、碁石は、碁石を平面に置いたとき、碁石の周縁部と平面との間に隙間を有するので、碁石を抓むことが容易であり、碁盤及び袋へ着脱を簡単に行なうことができる。
【００１９】
請求項５に記載の本発明によれば、袋に設けられた開閉手段がジッパー又はホック構造であるので、携帯中に補充用の黒石、白石、消し石を保管した補充用碁石保管シート、碁石、碁盤が袋から抜け落ち、紛失することを防止することができ携帯性に優れる。
【００２０】
請求項６に記載の本発明によれば、前記碁盤は、升目の他に碁石を保管することができるスペースを有するので、碁盤を袋に収納した状態で、袋の上から碁盤のスペース上に碁石を貼り付け保管することで、碁笥の代用とすることが可能であり便利である。
【００２１】
請求項７に記載の本発明によれば、本発明に係る囲碁セットは、さらに袋に収納した碁盤と袋とが、相互にずれないように固定する固定具を備えるので、特に一つの問題に対し、いくつかの攻め方、解き方をトライするときに、碁盤と袋を任意の相対位置で固定することができるため、碁盤と袋のずれを気にすることなく研究に専念できる。
【発明を実施するための最良の形態】
【００２２】
図１は本発明の第１実施形態としての囲碁セットを構成する碁盤１を示す斜視図、図２は、本発明の第１実施形態としての囲碁セットを構成する補充用碁石保管シート６に保管した補充用の碁石４、消し石５を示す斜視図、図３は、本発明の第１実施形態としての囲碁セットを構成する碁石２の平面図及び断面図、図４、図５は、本発明の第１実施形態としての囲碁セットの使用状態を示す斜視図である。また図６は、本発明の第１実施形態としての囲碁セットの使用状態を示す部分断面図である。
【００２３】
本発明に係る囲碁セットは、薄い板状の碁盤１と裏面に粘着剤７を有する黒石２ａ、白石２ｂからなる碁石２と、碁盤１を収納可能で透明な前記碁石２の着脱が自在な袋８を主に構成される。この他、本発明に係る囲碁セットは、碁盤１上に置かれた黒石２ａ、白石２ｂに対し袋８の上から重ねて置くことにより、碁盤１上の黒石２ａ、白石２ｂを見えなくする消し石３、補充用の碁石４、消し石５及びこれらを保管しておくための補充用碁石保管シート６を有すると共に、使用に際し碁盤１と袋８とが相互にずれないようにするための固定用クリップ２３を備える。
【００２４】
碁盤１は、方形の形状を有する薄い板状体であり、表面９に囲碁用の升目１０が描かれている。表面９の一辺近傍にはスペース１１が設けられている。このスペース１１は、碁盤１を袋８に収納した状態で、袋８の上から碁盤１のスペース１１上に碁石２、消し石３を貼り付け保管し、碁笥の代用とするためのスペースである。碁盤１は、盤上（表面上）に粘着性を有する碁石２が押し付けられたり、盤上から碁石２が取り除かれたり、又これらが繰り返しながら使用されるため、粘着性を有する碁石２が押し付けられたときこの碁石２を保持すると共に、保持した碁石２を手で容易に取り去ることができる材質である必要がある。このような性状を有する碁盤であれば、材質は特に限定されず、複数の材料を張り合わせた複合材であってもよい。このような碁盤１としては、ポリエチレン、ポリプロピレンなど合成樹脂からなる板、紙の表面を合成樹脂等でコーティングした複合材などを好適に使用することができる。
【００２５】
碁盤１の大きさは特に制限されないけれども、小さすぎると升目１０が読み難く、又碁石２も升目１０に対応して小さくなるので取り扱いが難しくなる。逆に大きすぎると携行、保管等に不便となるので、一辺が２５〜２７センチ程度の大きさのものが好ましい。碁盤１の厚さも特に制限されないけれども、使用中、特に盤上から碁石２を取り去るときには碁盤１上に荷重が加わるので、これらにより容易に変形しない厚さが必要であり、同様に変形しない剛性が必要である。厚さを例示すれば０．５〜２ｍｍ程度である。
【００２６】
また碁盤１は、１９路盤であっても、１３路盤、１１路盤、９路盤であってもよい。スペース１１を広く取れば、袋８の上からスペース１１上に多くの碁石２、消し石３を貼り付け保管することが可能であるが、一方で場所を取るため保管、携行を考えれば必要以上に広くすべきではない。本発明に係る囲碁セットは、オリジナルな局所戦術、詰め碁、布石の研究を主目的とした囲碁セットであり、碁石２も囲碁の対戦を行なうときのように多くの碁石２を必要としない。また多くの碁石２を必要とする場合は、補充用の碁石４を使用することもできるので、スペース１１は必要以上に広くすべきではない。また碁盤１は袋８に出し入れするので、袋８への出し入れが容易となるように四隅１２に丸みを持たせることが好ましい。
【００２７】
碁石２は黒石２ａ、白石２ｂの２種類の石からなる。碁石２は大略、薄い円盤状の形状を有する碁石本体１３（１３ａ、１３ｂ、１３ｃ）と碁石本体１３の底面に固着された粘着剤７とを有する。碁石２は、平面に置いたとき周縁部１４と平面とに隙間δが形成されるように、具体的には、図３（ａ）、（ｂ）の碁石２ｂは、下に凸状の断面形状を有し、図３（ｃ）の碁石２ｂは、皿状の形状を有する。平面に置いたとき碁石２の周縁部１４と平面との間に形成される隙間δは、碁石２を抓み易くするために設けるものであり、０．２〜１ｍｍ程度の間隔があればよい。
【００２８】
碁石２の大きさは、碁盤１の升目１０の大きさに対応した大きさとする。厚さは特定の厚さに限定されないけれども必要以上に厚くすべきではない。後述の使用例で説明するように、本発明に係る囲碁セットでは、碁盤１上に碁石２を打つと共に碁石２を並べた碁盤１を袋８に入れ、この袋８の上から碁盤１上の升目１０に向かって碁石２を打つため、碁石２の厚さが厚すぎると、袋８の表面１５が波打ってしまうので、碁石２の厚さは１〜１．５ｍｍ程度が好ましい。ここで碁石２を打つとは、碁盤１又は袋８の表面に碁石２を押付け、碁石２を碁盤１又は袋８の表面にくっつけることを言う。碁石本体１３の材質は特に制限されないけれども、底面に固着させる粘着剤７との接着性がよく、安価で製造容易なものが好ましい。合成樹脂材料などを用いることで容易に製造することができる。黒石２ａ、白石２ｂは、碁石本体１３全体を黒色、白色としても、表面のみ黒色、白色にしてもよい。
【００２９】
粘着剤７は、公知の粘着剤を使用することができる。粘着剤７は、度重なる碁盤１又は袋８への着脱に対しても粘着性を失うこと無く、逆に碁盤１又は袋８に長期にわたりくっつけたままにしておいても、完全に固着してしまうことがない粘着剤を選定することが好ましい。
【００３０】
袋８は、碁盤１、補充用の黒石４ａ、白石４ｂ、消し石５を保管した補充用碁石保管シート６を収納すると共に、碁盤１と同様に碁石２及び消し石３を打つための部材である。袋８は、透明な合成樹脂性の袋であり、相対する両辺１６、１７が開閉可能なジッパー１８（１８ａ、１８ｂ）となっており、ここから碁盤１を出し入れすることができる。このジッパー１８は、凹部２５に凸部２７を嵌込む周知のジッパーである。袋８は、内部に収納した碁盤１に対して袋８の上から碁石２及び消し石３を打つため、碁盤１の升目１０を視認できる透明性を有する必要がある。また袋８は、碁盤１と同様に、袋８の上から粘着性を有する碁石２が押し付けられたり、碁石２が取除かれたり、又はこれらが繰り返し行われるため、粘着性を有する碁石２が押し付けられたきこの碁石２を保持すると共に、保持した碁石２を手で容易に取り去ることができる材質である必要がある。このような袋８としては、ポリエチレン、ポリプロピレン、耐油性ビニルなど合成樹脂性、又はその表面にセロファンをコーティングした袋が例示される。
【００３１】
袋８の大きさは、平面視において碁盤１とほぼ同じ大きさを有し、さらに碁石２を付着させた碁盤１、補充用の黒石４ａ、白石４ｂ、消し石５を保管した補充用碁石シート６を収納可能な大きさである。袋８の大きさが、平面視において碁盤１とほぼ同じ大きさとは、碁盤１の升目１０が上面となるように袋８に碁盤１を収納し、この碁盤１を真上から見たとき、袋８の辺と碁盤１の辺との間に殆ど隙間を有さない大きさである。平面視において碁盤１と袋８との間に大きなスペースが出来てしまうと、袋８に収納した碁盤１が袋８の中で動き易く、袋８の上から碁石２を打っている最中に碁盤１の位置がずれる恐れがあるため好ましくない。さらに袋８の大きさが、碁石２を付着させた碁盤１、補充用の黒石４ａ、白石４ｂ、消し石５を保管した補充用碁石シート６を収納したとき、全体的に袋８内に余分なスペースが出来ないことがより好ましい。なお、袋８と碁盤１との位置が相対的にずれないようにするために、図５に示す固定用クリップ２３を好適に使用することができる。袋８の厚さは特定の厚さに限定されないけれども、使用中、特に袋上の碁石２を取り去るときには袋上に荷重が加わるので、これらにより容易に破損、変形しない厚さが必要である。同様に変形しない剛性が必要である。また袋８は、碁盤１の収納、保護袋としての役割も有しているので、携行時に他の荷物で圧迫されたり、擦れ合う事も多く、長期にわたる使用においても、破れたり表面に傷が生じたり、透明度が低下したりしないことが望ましい。厚さを例示すれば０．１〜１ｍｍ程度である。
【００３２】
袋８は、碁盤１を出し入りするために両辺１６、１７が開閉可能なジッパー１８となっているけれども、開閉可能な手段を一辺にのみ設けてもよい。袋８の相対する２辺又は一辺に設ける開閉可能なジッパー１８は、碁盤１の出し入れと、携行時に碁盤１、補充用碁石保管シート６などが飛び出さないことを目的に設けるものであるから、例えば公知のホック、面ファスナ、折り曲げ封止構造なども用いることができる。さらに、袋８に代え、書類等を挟み保管する合成樹脂性のファイル、合成樹脂性のケースを使用してもよい。
【００３３】
消し石３は、碁盤１上に置かれた黒石２ａ、白石２ｂに対し袋８の上から重ねて置くことにより、碁盤１上の黒石２ａ、白石２ｂを見えなくするための石であって、表面の色彩、模様等を除けば構造等は碁石２と同じである。消し石３の表面の色彩は、碁盤１の色彩と同じであり、模様は、升目１０を構成する罫線１９と同じである。具体的には、碁盤１の星２０の位置などにおく十字線の入った消し石３ａ、辺２１に置くＴ字状の線の入った消し石３ｂ、角２２に置くＬ字状の線の入った消し石３ｃからなる。消し石３は、碁盤１上に置かれた黒石２ａ、白石２ｂに対し袋８の上から重ねて置くことにより、碁盤１上の黒石２ａ、白石２ｂを見えなくするための石であるから、可能な限り色彩、模様とも碁盤１の色彩及び罫線１９と同じであることが好ましい。なお、簡易な消し石として、罫線１９の入っていない碁盤１と同じ色彩の消し石を使用してもよい。
【００３４】
碁石２又は消し石３の粘着力は、碁盤１又は袋８に何度もくっつけたり剥がしたりを繰り返すうち低下してしまう。使用中の碁石２又は消し石３の粘着力が低下したときには、補充用の碁石４（４ａ、４ｂ）又は消し石５（５ａ、５ｂ、５ｃ）を使用する。補充用の碁石４又は消し石５は、上記碁石２又は消し石３と全く同一であり、補充用碁石保管シート６に付着、保管されている。補充用碁石保管シート６は、補充用の碁石４又は消し石５を取りやすく、又袋８に収納して携行できる大きさであることが望ましい。補充用碁石保管シート６は、合成樹脂シート又は剥離紙が適している。
【００３５】
固定用クリップ２３は、碁盤１と袋８とが相互にずれないようにするためのものであって、碁盤１及び補充用碁石４及び消し石５を保管した補充用碁石シート６を袋８に入れた状態で袋８の外から袋８と碁盤１等とを同時に挟み込み碁盤１と袋８とを固定する。本実施形態に示す固定用クリップ２３は、合成樹脂性の弾力性を有するクリップであり、袋８に碁盤１のみを収納した場合であっても、碁盤１と袋８とが相互にずれないように固定することができる。上記機能を有する固定用クリップであれば、特に種類は限定されないけれども、携行等を考えれば小型のものが好ましい。
【００３６】
本発明に係る囲碁セットは、袋８内に碁盤１を収納した状態で、袋８の上から碁石２を打ち楽しむことができるが、他の好適な使用方法の一例を詰め碁を研究する場合で説明する。使用者は、碁盤１のスペース１１の位置の袋の表面１５に置かれている碁石２を用いて、新聞、雑誌等に記載されている詰め碁の問題を碁盤１上に並べる。袋８の一辺１７のジッパー１８ｂを閉じた状態で、碁盤１を袋８の中に入れ、他辺１６側のジッパー１８ａを閉じる。この状態は図４に示す状態であり、これにより碁盤１は袋８の中で殆ど動くことなく、一定の位置に保持される。この状態で袋８の上から碁盤１を見て碁石２を打ち、詰め碁を解く。碁盤１上に並べた碁石２が当たりとなり、碁石２を取り上げたいときには、袋８の上からその碁石２の上に消し石３を貼り付け、その碁石２を見えなくする。コウ争いが始まり、消した位置に碁石２を再度、打ちたい場合には、消し石３を取り去る。
【００３７】
上記のように、本発明に係る囲碁セットは、詰め碁の問題を自分で碁盤１上に再現することができるので、多数の詰め碁が楽しめる。さらに詰め碁を解くときは、詰め碁の問題に対して袋８の上から碁石２を打つので、詰め碁の問題を崩すことなく何度でもトライすることができる。
【００３８】
さらに別の使い方もできる。上記方法で詰め碁の問題に挑戦する。詰め碁の問題をうまく解くことが出来なかったときには、打った碁石２を取り去ることなく、辺１６のジッパー１８ａを開け、袋８の位置をずらし、固定用クリップ２３で袋８と碁盤１とを固定する。この状態は図５に示す状態であり、これにより詰め碁の問題の上には新たな袋８の部分が現れ、前記同様この場所で詰め碁を解くことができる。この場合、先に打った碁石２が袋８上に残っているので、先に打った碁石２を参考にしながら新たなうち方を試すことができる。これらの使い方は、詰め碁に限らず局所戦術、布石の研究でも同じである。
【図面の簡単な説明】
【００３９】
【図１】本発明の第１実施形態としての囲碁セットを構成する碁盤１を示す斜視図である。
【図２】本発明の第１実施形態としての囲碁セットを構成する補充用碁石保管シート６に保管した補充用の碁石４、消し石５を示す斜視図である。
【図３】本発明の第１実施形態としての囲碁セットを構成する碁石２ｂの平面図及び断面図である。
【図４】本発明の第１実施形態としての囲碁セットの一の使用状態を示す斜視図である。
【図５】本発明の第１実施形態としての囲碁セットの他の使用状態を示す斜視図である。
【図６】本発明の第１実施形態としての囲碁セットの使用状態を示す部分断面図である。
【符号の説明】
【００４０】
１  碁盤
２  碁石
３  消し石
４  補充用の碁石
５  補充用の消し石
６  補充用碁石保管シート
７  粘着剤
８  袋
１０  升目
１１  スペース
１４  碁石の周縁部
１６  袋の一辺
１７  袋の一辺
１８  ジッパー
２３  固定用クリップ
【図１】
2010042202.tif 000003
【図３】
2010042202.tif 000004
【図４】
2010042202.tif 000005
【図５】
2010042202.tif 000006
【図６】
2010042202.tif 000007
【図２】
2010042202.tif 000008